(57)【要約】【課題】  消臭剤、吸着剤などの交換を要さず、安価な設備で永続性のある消臭装置を提供することを目的とする。【解決手段】  透明又は半透明の材料で形成された部材と、該部材を支持する支持部材とを具備し、前記透明又は半透明の材料で形成された部材の裏面に可視光型光触媒を塗布し、該光触媒を塗布した面に空気が接触して流動できるように支持部材との間に隙間を設けて組立てられて成るように構成する。【選択図】      図１
2005185344.tif 000002
【特許請求の範囲】
【請求項１】
透明又は半透明の材料で形成された部材と、該部材を支持する支持部材とを具備し、
前記透明又は半透明の材料で形成された部材の裏面に可視光型光触媒を塗布し、該光触媒を塗布した面に空気が接触して流動できるように支持部材との間に隙間を設けて組立てられたことを特徴とする消臭装置。
【請求項２】
前記消臭装置は車両のマップランプであることを特徴とする請求項１記載の消臭装置。
【請求項３】
前記可視光型光触媒はアバタイトと二酸化チタンを複合化したものであることを特徴とする請求項１記載の消臭装置。
【請求項４】
前記可視光型光触媒はシリカゲルと二酸化チタンを複合化したものであることを特徴とする請求項１記載の消臭装置。
【発明の詳細な説明】
【技術分野】
【０００１】
本発明は、消臭装置に関し、さらに詳しく述べると、自動車に設けられる内装部品に可視光型光触媒を用いて消臭機能を付与し、車室内を消臭可能にした消臭装置に関する。
【背景技術】
【０００２】
周知の通り、最近は、建材、壁紙、塗料等から揮発性有機化合物が発生するため、頭痛、めまい、吐き気、疲労感などの発生が問題となっている。そのため各種の消臭装置が開発されている。
【０００３】
従来の消臭装置として、化学的なものとしては、消臭剤,芳香剤等が用いられ、物理的なものとしては、活性炭素のような吸着剤が用いられ、その他としては熱触媒、酵素、マイナスイオン等が用いられている。ところが、前記消臭剤,芳香剤等を用いたものは消耗するため補給を必要とし、吸着剤を用いたものは、性能低下により交換を必要とし、熱触媒を用いたものは熱源を必要とし、酵素を用いたものは、効果に疑問があり、マイナスイオンを用いたものは高圧電源及びフィルターを必要とする等の問題があった。
【０００４】
【特許文献１】特開２００２−２８２７０４号公報
【０００５】
【特許文献２】特開２００２−１４４９３７号公報
【０００６】
【特許文献３】特開平１１−１３８０１７号公報
【発明の開示】
【発明が解決しようとする課題】
【０００７】
本発明は、上記のような従来の技術の問題点を解決することを目的とする。
本発明の目的は、消臭剤、吸着剤などの交換を要さず、安価な設備で永続性のある消臭装置を提供することにある。
本発明の上記したような目的やその他の目的は、以下の詳細な説明から容易に理解することができるであろう。
【課題を解決するための手段】
【０００８】
本発明の請求項１は、透明又は半透明の材料で形成された部材と、該部材を支持する支持部材とを具備し、前記透明又は半透明の材料で形成された部材の裏面に可視光型光触媒を塗布し、該光触媒を塗布した面に空気が接触して流動できるように支持部材との間に隙間を設けて組立てられたことを特徴とする。
【０００９】
また、請求項２は、前記消臭装置は車両のマップランプであることを特徴とする。また、請求項３は、前記可視光型光触媒はアバタイトと二酸化チタンを複合化したものであることを特徴とする。また、請求項４は、前記可視光型光触媒はシリカゲルと二酸化チタンを複合化したものであることを特徴とする。
【発明の効果】
【００１０】
本発明によれば、以下の詳細な説明から理解されるように、アバタイトと二酸化チタンを複合化したもの、又はシリカゲルと二酸化チタンを複合化した可視光型光触媒を用いたことにより、安価で永続性のある消臭装置が実現できる。
【発明を実施するための最良の形態】
【００１１】
引き続いて、本発明をその実施例を参照して説明する。なお、本発明は、これらの実施例によって限定されるものでないことは言うまでもない。
図１は本発明の消臭装置の第１の実施例を示す図で、（ａ）は平面図、（ｂ）は（ａ）図のｂ−ｂ線における断面図である。本実施例は自動車のピラーに設けられたマップランプを利用したものである。
【００１２】
図１において、符号１０はピラー、１１は該ピラーに設けられたマップランプ、１２はエアコンからの空気吹き出し口である。そして、マップランプ１１は透明又は半透明のレンズ１３、基板１４、ランプ１５、スイッチ１６等を具備して構成され、前記レンズ１３の裏面にはアバタイトと二酸化チタンを複合化したもの、又はシリカゲルと二酸化チタンを複合化した消臭剤１７が塗布されている。また前記レンズ１３の上方及びスイッチ１６の周囲には空気の流通を可能とする隙間１８、１９が設けられている。
【００１３】
このように構成された本実施例は、昼間は太陽光で、夜間はランプの熱によりランプハウス内に対流が生じ、図１（ｂ）に矢印で示すように、車室内の空気はスイッチ１６の周囲の隙間１９から入り、レンズ１３の裏面に沿って流れ、レンズ１３の上方の隙間１８から放出される。この空気がレンズ１３の裏面に沿って流れる際、空気中に含まれた揮発性有機化合物をレンズ１３の裏面に塗布されている消臭剤１７により消臭することができる。
【００１４】
図２は本発明の消臭装置の第２の実施例を示す図で、（ａ）は平面図、（ｂ）は（ａ）図のｂ−ｂ線における断面図である。本実施例は自動車のフロントオーバーヘッドコンソールに設けられたルームランプ及びマップランプを利用したものである。そして、本実施例は同図に示すように、ハウジング２０、ルームランプ及びマップランプの透明又は半透明なレンズ２１、ランプのスイッチ２２、２３、開口２４を有する図示なきマイク等より構成され、前記レンズ２１の裏面にはアバタイトと二酸化チタンを複合化したもの、又はシリカゲルと二酸化チタンを複合化した消臭剤２５が塗布されている。また前記スイッチ２２、２３の周囲には空気の流通を可能とする隙間２６が設けられている。
【００１５】
このように構成された本実施例は、前実施例と同様に、昼間は太陽光で、夜間はランプの熱によりランプハウス内に対流が生じ、図２（ｂ）に矢印で示すように、車室内の空気はスイッチ２２、２３の周囲の隙間２６から入り、レンズ２１の裏面に沿って流れ、マイクの開口２４から放出される。この空気がレンズ２１の裏面に沿って流れる際、空気中に含まれた揮発性有機化合物はレンズ２１の裏面に塗布されている消臭剤２５により消臭される。
【００１６】
上記実施例における消臭剤は、アバタイトと二酸化チタンを複合化したもの、又はシリカゲルと二酸化チタンを複合化したものであるが、複合化した理由は次の理由によるものである。
即ち、アバタイト又はシリカゲルはタンパク質や物質の吸着能に優れ大量の細菌やウイルス、アンモニア、窒素酸化物、アルデヒド類などを吸着する。しかし、その吸着機能はいずれ飽和する。一方、二酸化チタン光触媒は、光を当てることにより、非常に強い酸化力を生じ、接触してくる有害化学物質や細菌、かび、臭い、汚れなどを分解することができる。しかし、物質や菌などを吸着する作用はない。また光が当たらないと作用しない。そこで、アバタイト又はシリカゲルと二酸化チタンを複合すれば物質を吸着し分解することができる多機能材料となる。
【産業上の利用可能性】
【００１７】
以上、本発明を特にその最良の形態について説明した。最後のまとめとして、本発明の構成及びそのバリエーションを以下に付記として列挙する。
実施例においては、ルームランプ、マップランプを例にしたが、車室内のランプ類については全て応用可能であり、さらに、ピラーガーニッシュ、ドアトリム、センタークラスターパネル等の内装部品を透明又は半透明にして裏面に消臭剤を塗布しても良い。また、自動車用に限らず、家庭用又はオフィス用の電気部品等にも応用可能である。
【図面の簡単な説明】
【００１８】
【図１】本発明の消臭装置の第１実施例を示す図で、ａ）は平面図、（ｂ）は（ａ）図のｂ−ｂ線における断面図である。
【図２】本発明の消臭装置の第２実施例を示す図で、（ａ）は平面図、（ｂ）は（ａ）図のｂ−ｂ線における断面図である。
【符号の説明】
【００１９】
１０…ピラー
１１…マップランプ
１２…空気吹き出し口
１３，２１…レンズ
１４…基板
１５…ランプ
１６，２２，２３…スイッチ
１７，２５…消臭剤
１８，１９，２６…隙間
２０…ハウジング
２４…マイクの開口
【図１】
2005185344.tif 000003
【図２】
2005185344.tif 000004